(57)【要約】【課題】  伝送路の測定不可能な範囲の状態を検出することができる伝送装置及び状態検出方法を提供する。【解決手段】  伝送装置は、伝送路の一端に接続された伝送装置であり、前記伝送路の一端から第１距離の範囲の第１損失を測定する測定部と、前記伝送路の他端から第２距離の範囲の第２損失を、前記伝送路の他端に接続された他の伝送装置から取得する取得部と、前記伝送路の全体の距離及び損失と、前記第１距離及び前記第１損失と、前記第２距離及び前記第２損失とから、前記伝送路の前記第１距離及び前記第２距離の範囲外の単位距離当たりの損失を算出する算出部と、前記単位距離当たりの損失に基づき前記伝送路の状態を検出する検出部とを有する。【選択図】図７
2018011279.tif 000002
【特許請求の範囲】
【請求項１】
伝送路の一端に接続された伝送装置において、
前記伝送路の一端から第１距離の範囲の第１損失を測定する測定部と、
前記伝送路の他端から第２距離の範囲の第２損失を、前記伝送路の他端に接続された他の伝送装置から取得する取得部と、
前記伝送路の全体の距離及び損失と、前記第１距離及び前記第１損失と、前記第２距離及び前記第２損失とから、前記伝送路の前記第１距離及び前記第２距離の範囲外の単位距離当たりの損失を算出する算出部と、
前記単位距離当たりの損失に基づき前記伝送路の状態を検出する検出部とを有することを特徴とする伝送装置。
【請求項２】
前記伝送路を介し前記他の伝送装置に光信号を送信する送信部と、
前記他の伝送装置から前記光信号の受信レベルの通知を受信する受信部と、
前記算出部は、前記光信号の送信レベルと前記受信レベルの差分から前記伝送路の全体の損失を取得することを特徴とする請求項１に記載の伝送装置。
【請求項３】
前記算出部は、前記第１距離及び前記第１損失と、前記第２距離及び前記第２損失とから、前記伝送路の前記第１距離及び前記第２距離の各範囲の単位距離当たりの損失の平均値を算出し、前記平均値と前記伝送路の全体の損失から前記伝送路の全体の距離を取得することを特徴とする請求項１または２に記載の伝送装置。
【請求項４】
前記検出部は、前記単位距離当たりの損失を所定の閾値と比較し、該比較結果に基づき前記伝送路の障害を検出することを特徴とする請求項１乃至３の何れかに記載の伝送装置。
【請求項５】
前記検出部は、前記単位距離当たりの損失の初期値からの変化量を算出し、前記変化量に基づき前記伝送路の障害を検出することを特徴とする請求項１乃至４の何れかに記載の伝送装置。
【請求項６】
一組の伝送装置の間を結ぶ伝送路の一端から第１距離の範囲の第１損失を測定し、
前記伝送路の他端から第２距離の範囲の第２損失を測定し、
前記伝送路の全体の距離及び損失と、前記第１距離及び前記第１損失と、前記第２距離及び前記第２損失とから、前記伝送路の前記第１距離及び前記第２距離の範囲外の単位距離当たりの損失を算出し、
前記単位距離当たりの損失に基づき前記伝送路の状態を検出することを特徴とする状態検出方法。
【発明の詳細な説明】
【技術分野】
【０００１】
本件は、伝送装置及び状態検出方法に関する。
【背景技術】
【０００２】
光ファイバは、伝送装置の間を結び、光信号を伝送する伝送路として用いられるため、その伝送特性の測定は伝送路の保守管理の点から重要である。例えば、光ファイバの損失特性を測定する測定器として、ＯＴＤＲ（Optical Time Domain Reflectometer）（光パルス試験器）が知られている（例えば特許文献１及び２を参照）。ＯＴＤＲは、連続的に短パルス光を光ファイバに送出し、レイリー散乱などにより光ファイバから戻るパルス光のパワーレベル及び戻るまでの所要時間を連続的に検出することにより、パルス光の入力点からの距離に対する損失特性（スパンロス特性）を測定する。
【０００３】
ＯＴＤＲは、例えば、伝送装置で障害が検出されたとき、その伝送装置に設けられた専用のポート（光コネクタ）に接続して用いられており、伝送装置が設置された局に備えるＯＴＤＲの数は多くないため、伝送路の継続的な監視は難しい。しかし、光学部品及び電子部品の小型化、集積技術の進歩、及びプロセッサの処理能力の向上などによりＯＴＤＲのモジュール化が可能となったため、伝送路の継続的な監視を実現すべく、ＯＴＤＲを内蔵した伝送装置が研究開発されている。
【先行技術文献】
【特許文献】
【０００４】
【特許文献１】特開２００８−２０３１８４号公報
【特許文献２】特開２００５−１４７８７１号公報
【発明の概要】
【発明が解決しようとする課題】
【０００５】
伝送装置の伝送性能の向上とともに光ファイバの距離が延びており、ＯＴＤＲの測定可能な距離を超える場合がある。この場合、例えば、光ファイバの両端に接続された各伝送装置のＯＴＤＲが損失特性をそれぞれ測定し、各ＯＴＤＲの測定結果を合成することにより光ファイバの全長にわたる損失特性を得ることができる。
【０００６】
しかし、光ファイバの両端に接続した各ＯＴＤＲの測定可能な距離の合計が光ファイバの全長を超える場合、上記の手法では、その超えた分の範囲の損失特性を測定することができない。例えば、ＯＴＤＲの測定可能な距離を１００（km）とし、光ファイバの全長を２５０（km）とした場合、光ファイバの各端部から１００（km）の範囲の損失特性は測定可能であるが、その中心部の５０（km）（＝２５０−１００×２）の範囲の損失特性が測定不可能である。このため、この範囲では伝送路の状態が検出できないという問題がある。
【０００７】
本発明は、伝送路の測定不可能な範囲の状態を検出することができる伝送装置及び状態検出方法を提供することを目的とする。
【課題を解決するための手段】
【０００８】
１つの態様では、伝送装置は、伝送路の一端に接続された伝送装置であり、前記伝送路の一端から第１距離の範囲の第１損失を測定する測定部と、前記伝送路の他端から第２距離の範囲の第２損失を、前記伝送路の他端に接続された他の伝送装置から取得する取得部と、前記伝送路の全体の距離及び損失と、前記第１距離及び前記第１損失と、前記第２距離及び前記第２損失とから、前記伝送路の前記第１距離及び前記第２距離の範囲外の単位距離当たりの損失を算出する算出部と、前記単位距離当たりの損失に基づき前記伝送路の状態を検出する検出部とを有する。
【０００９】
１つの態様では、状態検出方法は、一組の伝送装置の間を結ぶ伝送路の一端から第１距離の範囲の第１損失を測定し、前記伝送路の他端から第２距離の範囲の第２損失を測定し、前記伝送路の全体の距離及び損失と、前記第１距離及び前記第１損失と、前記第２距離及び前記第２損失とから、前記伝送路の前記第１距離及び前記第２距離の範囲外の単位距離当たりの損失を算出し、前記単位距離当たりの損失に基づき前記伝送路の状態を検出する状態検出方法である。
【発明の効果】
【００１０】
１つの側面として、伝送路の測定不可能な範囲の状態を検出することができる。
【図面の簡単な説明】
【００１１】
【図１】伝送システムの一例を示す構成図である。
【図２】ＯＴＤＲモジュールの動作の一例を示す図である。
【図３】監視部及びＯＴＤＲモジュールの一例を示す構成図である。
【図４】測定不可能な範囲が存在しない場合の伝送路の損失特性の測定結果の一例を示す図である。
【図５】測定不可能な範囲が存在しない場合の測定結果の合成処理の一例を示す図である。
【図６】測定不可能な範囲が存在する場合の伝送路の損失特性の測定結果の一例を示す図である。
【図７】測定不可能な範囲が存在する場合の測定結果の合成処理の一例を示す図である。
【図８】伝送路の状態検出方法の一例を示すフローチャートである。
【発明を実施するための形態】
【００１２】
図１は、伝送システムの一例を示す構成図である。伝送システムは、一例として、波長多重光信号Ｓを伝送する一組の伝送装置１０，１１を有する。伝送装置１０，１１の間は伝送路９０，９１により結ばれている。
【００１３】
一方の伝送装置１０は伝送路９０，９１の一端Ｅａに接続され、他方の伝送装置１１は伝送路９０，９１の他端Ｅｂに接続されている。伝送装置１０は、伝送路９０を介して伝送装置１１に波長多重光信号Ｓを伝送し、伝送装置１１は、伝送路９１を介して伝送装置１０に波長多重光信号Ｓを伝送する。なお、本実施例では伝送路９０，９１として光ファイバを挙げるが、これに限定されない。
【００１４】
伝送装置１０，１１は、例えばＲＯＡＤＭ（Reconfigurable Optical Add and Drop Multiplexer）装置であり、共通の構成を有する。伝送装置１０，１１は、監視部２、ＯＴＤＲモジュール３０、光サーキュレータ３１、光スイッチ（ＳＷ）３２、ＯＳＣ（Optical Supervisory Channel）送信部３３、及びＯＳＣ受信部３４を有する。また、伝送装置１０，１１は、伝送路９０．９１に接続されて波長多重光信号Ｓを送受信する構成として、波長多重スイッチ（WSS: Wavelength Selective Switch）４０，５０、光増幅器（AMP）４１，５１、ＷＤＭ（Wavelength Divisional Multiplexer）カプラ４２，４３，５２，５３を有する。
【００１５】
ＷＳＳ４０は、図示しない後段のユニットから入力された複数の光信号を波長多重することにより波長多重光信号Ｓを生成して、光増幅器４１に出力する。光増幅器４１は、波長多重光信号Ｓを増幅してＷＤＭカプラ４２に出力する。
【００１６】
ＷＤＭカプラ４２は、波長多重光信号Ｓと、光スイッチ３２から入力されたパルス光Ｐｓとを合波して次段のＷＤＭカプラ４３に導く。また、ＷＤＭカプラ４２は、伝送路９０，９１からＷＤＭカプラ４３を介して入力された反射パルス光Ｐｒを光スイッチ３２に導く。波長多重光信号Ｓの波長帯を１５５０（nm）とし、パルス光Ｐｓ及び反射パルス光Ｐｒの波長帯を１６００（nm）とすると、ＷＤＭカプラ４２は１５５０（nm）帯の光と１６００（nm）の光の分離及び合成を行う。
【００１７】
ＷＤＭカプラ４３は、波長多重光信号Ｓと、ＯＳＣ送信部３３から入力されたＯＳＣ信号Ｓｃとを合波して伝送路９０，９１に導く。ＯＳＣ信号Ｓｃは、伝送装置１０，１１の間で制御情報を送受信するための信号である。波長多重光信号Ｓの波長帯を１５５０（nm）とし、ＯＳＣ信号Ｓｃの波長帯を１５１０（nm）とすると、ＷＤＭカプラ４３は１５５０（nm）帯の光と１５１０（nm）の光の合成を行う。ＷＤＭカプラ４３は、伝送路９０，９１を介して他方の伝送装置１０，１１のＷＤＭカプラ５３と接続されている。
【００１８】
ＷＤＭカプラ５３は、伝送路９０，９１から入力された光からＯＳＣ信号Ｓｃを分波してＯＳＣ受信部３４に導き、波長多重光信号Ｓ及び反射パルス光ＰｒをＷＤＭカプラ５２に導く。上記の波長帯を仮定すると、ＷＤＭカプラ５３は１５５０（nm）帯の光と１５１０（nm）の光の分離を行う。
【００１９】
ＷＤＭカプラ５２は、反射パルス光Ｐｒを光スイッチ３２に導き、波長多重光信号Ｓを光増幅器５１に導く。上記の波長帯を仮定すると、ＷＤＭカプラ５２は１５５０（nm）帯の光と１６００（nm）の光の分離を行う。また、光スイッチ３２からＷＤＭカプラ５２に入力されたパルス光Ｐｓは、ＷＤＭカプラ５３を介して伝送路９０，９１に入力される。
【００２０】
光増幅器５１は波長多重光信号Ｓを増幅してＷＳＳ５０に出力する。ＷＳＳ５０は、波長多重光信号Ｓを波長ごとの光信号に分離して、ネットワーク監視制御システムの設定に基づき選択した波長の光信号を後段のユニットに出力する。
【００２１】
ＯＴＤＲモジュール３０は、ＯＴＤＲを小型化したものであり、例えば各種の電子部品及び光学部品が実装された回路基板として構成される。ＯＴＤＲモジュール３０は、連続的にパルス光Ｐｓを伝送路９０，９１に送出し、レイリー散乱などにより伝送路９０，９１から戻る反射パルス光Ｐｒのパワーレベル及び戻るまでの所要時間を連続的に検出する。これにより、ＯＴＤＲモジュール３０は、伝送路９０，９１におけるパルス光Ｐｓの入力点（Ｅａ）からの距離に対する損失特性（スパンロス特性）を測定する。
【００２２】
ＯＴＤＲモジュール３０は監視部２の指示に従い測定を開始する。ＯＴＤＲモジュール３０は、測定時、パルス光Ｐｓを生成して出力する。パルス光Ｐｓは、光サーキュレータ３１により光スイッチ３２に導かれる。光スイッチ３２は、監視部２の制御に従い、光サーキュレータ３１をＷＤＭカプラ４２，５２の何れかに接続する。パルス光Ｐｓは、光スイッチ３２を介してＷＤＭカプラ４２，５２の一方に入力され、一方の伝送路９０，９１に入力される。
【００２３】
伝送路９０，９１から戻る反射パルス光Ｐｒは、ＷＤＭカプラ４２，５２から光スイッチ３２を介して光サーキュレータ３１に入力される。光サーキュレータ３１は、反射パルス光ＰｒをＯＴＤＲモジュール３０に導く。
【００２４】
このように、光スイッチ３２はパルス光Ｐｓの出力先の伝送路９０，９１を切り替えることができるため、ＯＴＤＲモジュール３０は測定対象の伝送路９０，９１を選択することができる。なお、伝送装置１０，１１は、光スイッチ３２を設けずに、ＯＴＤＲモジュール３０を伝送路９０，９１ごとに設けてもよい。
【００２５】
図２は、ＯＴＤＲモジュール３０の動作の一例を示す図である。図２中、符号Ｇｏは、パルス光Ｐｓに対する反射パルス光Ｐｒにより測定される伝送路９０，９１の距離（km）に対するパワーレベルの損失（dB）の特性を示す。
【００２６】
ＯＴＤＲモジュール３０は、伝送路９０，９１内の状態変化（例えば屈折率の変化、局所的損失、微小な異物の存在）により生ずるレイリー散乱光を反射パルス光Ｐｒとして検出する。パルス光Ｐｓの入射端（Ｅａ，Ｅｂ）の近傍で生じた反射パルス光Ｐｒは、戻りの所要時間が短く、パワーレベルの高い成分として検出される。一方、入射端（Ｅａ，Ｅｂ）の遠方で生じた反射パルス光Ｐｒは、戻りの所要時間が長く、パワーレベルの低い成分として検出される。
【００２７】
ＯＴＤＲモジュール３０は、反射パルス光Ｐｒのパワーレベルと戻りの所要時間を連続的にプロットすることにより、符号Ｇｏで示されるように伝送路９０，９１の損失特性のグラフを生成する。伝送路９０，９１中のレイリー散乱が生ずる部分では損失は距離に対して緩やかに変化する。しかし、伝送路９０，９１中、光ファイバの曲げのある場所（「曲げ」参照）では、符号Ｐａで示されるように、局所的な損失を示す段差が現れる。
【００２８】
また、伝送路９０，９１中に破断点がある場合、その部分ではパルス光Ｐｓのフレネル反射が発生するため、反射パルス光Ｐｒのパワーレベルが高く、符号Ｐｂで示されるように、損失のピークが現れる。このように、ＯＴＤＲモジュール３０によると、伝送路９０，９１の損失特性を高精度に測定することができる。
【００２９】
なお、パルス光Ｐｓの波長としては、シングルモードの光ファイバの損失特性を測定する場合、１３００（nm）、１５５０（nm）、及び１６２５（nm）が挙げられる。しかし、ＯＴＤＲモジュール３０は、運用中の伝送装置１０，１１に搭載された状態で測定を実行するため、主信号の波長多重光信号Ｓの波長と干渉のない１６２５（nm）のパルス光Ｐｓを用いる。
【００３０】
図３は、監視部２及びＯＴＤＲモジュール３０の一例を示す構成図である。ＯＴＤＲモジュール３０は、デジタル処理部３００、ドライバ３０１、レーザダイオード（LD: Laser Diode）３０２、Ａ／Ｄ（Analog-to-Digital）変換回路３０３、電流電圧変換回路３０４、フォトディテクタ（PD: Photo Detector）３０５、及びメモリ３０６を有する。
【００３１】
ドライバ３０１は、デジタル処理部３００の制御に従いＬＤ３０２の出力を制御する。ＬＤ３０２は、ドライバ３０１の制御に従いパルス光Ｐｓを生成して出力する。
【００３２】
ＰＤ３０５は、反射パルス光Ｐｒを、そのパワーレベルに応じた電流信号に変換する。電流電圧変換回路３０４は、ＰＤ３０５から入力された電流信号を電圧信号に変換し、Ａ／Ｄ変換回路３０３に出力する。Ａ／Ｄ変換回路３０３は、その電圧信号をアナログ信号からデジタル信号に変換してデジタル処理部３００に出力する。
【００３３】
デジタル処理部３００は伝送路９０，９１の損失特性の測定を処理する。デジタル処理部３００は、例えばＤＳＰ（Digital Signal Processor）またはＦＰＧＡ（Field Programmable Gate Array）により構成され、測定制御部６０、パルス生成部６１、タイマ部６２、及び演算部６３を有する。
【００３４】
測定制御部６０は、測定処理の動作を制御し、パルス生成部６１及び演算部６３に動作を指示する。パルス生成部６１は、パルス光Ｐｓを生成するためのパルス信号をドライバ３０１に出力する。タイマ部６２は、パルス生成部６１におけるパルス信号の生成タイミングと、Ａ／Ｄ変換回路３０３における反射パルス光Ｐｒのデジタル信号の変換タイミングとに基づき、パルス光Ｐｓの送信から反射パルス光Ｐｒの受信までの時間を計測する。
【００３５】
演算部６３は、Ａ／Ｄ変換回路３０３からのデジタル信号 と、タイマ部６２が計測した時間とから、図２の符号Ｇｏで示されるような損失特性のデータを演算により取得する。演算部６３は、損失特性のデータをメモリ３０６に格納し、測定の完了を測定制御部６０に通知する。このように、ＯＴＤＲモジュール３０は、測定部の一例として、伝送路９０，９１の一端Ｅａ，Ｅｂから測定可能な距離の範囲の損失を測定する。
【００３６】
測定制御部６０は、演算部６３から測定の完了通知を受けて、メモリ３０６から損失特性のデータを読み出し監視部２に出力する。
【００３７】
監視部２は、ＯＴＤＲモジュール３０の測定した損失特性のデータに基づき伝送路９０，９１を監視する。監視部２は、例えばＦＰＧＡなどにより構成され、監視処理部２０、補間部２１、状態検出部２２、及びメモリ２３を有する。
【００３８】
監視処理部２０は、監視処理の動作を制御し、補間部２１、状態検出部２２、光スイッチ３２、ＯＳＣ送信部３３、及びＯＳＣ受信部３４に動作を指示する。監視処理部２０は、測定制御部６０から損失特性のデータを受信してメモリ２３に格納する。
【００３９】
監視処理部２０は、ＯＴＤＲモジュール３０が測定を開始する前、測定対象の伝送路９０，９１を選択して光スイッチ３２に指示する。光スイッチ３２は、監視処理部２０の指示に従いパルス光Ｐｓ及び反射パルス光Ｐｒの経路を切り替える。
【００４０】
監視処理部２０は損失特性のデータを他方の伝送装置１０，１１との間で送受信する。監視処理部２０は、自装置で測定した損失特性のデータをＯＳＣ送信部３３により出力する。ＯＳＣ送信部３３は、損失特性のデータをＯＳＣ信号Ｓｃに格納して他方の伝送装置１０，１１に送信する。
【００４１】
また、監視処理部２０は、他方の伝送装置１０，１１で測定した損失特性のデータをＯＳＣ受信部３４から受信しメモリ２３に格納する。すなわち、監視処理部２０は、取得部の一例として、伝送路９０，９１の他端Ｅａ，Ｅｂから所定の距離Ｄａ，Ｄｂの範囲の損失を、伝送路９０，９１の他端Ｅａ，Ｅｂに接続された他の伝送装置１０，１１から取得する。
【００４２】
なお、距離Ｄａは、第１距離の一例であり、伝送路９０，９１の一端Ｅａに接続された伝送装置１０のＯＴＤＲモジュール３０の測定可能な距離である。また、距離Ｄｂは、第２距離の一例であり、伝送路９０，９１の他端Ｅｂに接続された伝送装置１１のＯＴＤＲモジュール３０の測定可能な距離である。本例において、各距離Ｄａ，Ｄｂは伝送路９０，９１より短い（Ｄａ＜Ｄ，Ｄｂ＜Ｄ）と仮定する。監視処理部２０は、損失特性のデータの送受信が完了すると補間部２１及び状態検出部２２に動作を指示する。
【００４３】
補間部２１は、ＯＴＤＲモジュール３０の測定不可能な範囲の損失特性のデータを、各伝送装置１０，１１で測定した損失特性のデータにより補間する。補間部２１はメモリ２３から損失特性のデータを読み出す。補間部２１は、後述するように、各伝送装置１０，１１のＯＴＤＲモジュール３０の測定可能な距離Ｄａ，Ｄｂと伝送路９０，９１の全長Ｄの関係に応じた手法により損失特性のデータを補間する。補間部２１は、補間処理により得た伝送路９０，９１の全体にわたる損失特性のデータをメモリ２３に格納する。
【００４４】
また、補間部２１は、算出部の一例であり、補間処理において伝送路９０，９１の単位距離当たりの損失を算出する。状態検出部２２は、検出部の一例であり、単位距離当たりの損失に基づき伝送路９０，９１の状態を検出する。状態検出部２２は、例えば伝送路９０，９２の障害を検出し、監視処理部２０を介して伝送装置１０，１１の監視制御システムに通知する。なお、本例では単位距離を１（km）とするが、これに限定されない。
【００４５】
補間部２１の動作は、一方の伝送装置１０の測定可能な距離Ｄａ、他方の伝送装置１１の測定可能な距離Ｄｂ、及び伝送路９０，９１の全体の距離（全長）Ｄ、つまり各伝送装置１０，１１の伝送距離の関係に応じて異なる。なお、伝送路９０，９１の全長Ｄは、メモリ２３に予め設定されていてもよいし、後述するように、伝送路９０．９１の全体の損失及び単位距離当たりの損失から算出してもよい。
【００４６】
各伝送装置１０，１１の測定可能な距離Ｄａ，Ｄｂの合計が全長Ｄ以上である場合（Ｄ≦Ｄａ＋Ｄｂ）、伝送システムとして見ると、伝送路９０，９１に測定不可能な範囲は存在しない。このため、補間部２１は、各伝送装置１０，１１で測定した損失特性のデータを合成する。
【００４７】
図４は、測定不可能な範囲が存在しない場合の伝送路９０，９１の損失特性の測定結果の一例を示す図である。符号Ｇ１ａは一方の伝送装置１０のＯＴＤＲモジュール３０の測定結果を示し、符号Ｇ１ｂは他方の伝送装置１１のＯＴＤＲモジュール３０の測定結果を示す。なお、本例において、伝送路９０，９１に曲げや破断点は存在しないものと仮定する。
【００４８】
伝送装置１０のＯＴＤＲモジュール３０は伝送路９０，９１の一端Ｅａから距離Ｄａの範囲Ｒａの損失特性を測定する。一方、伝送装置１１のＯＴＤＲモジュール３０は伝送路９０，９１の他端Ｅｂから距離Ｄｂの範囲Ｒｂの損失特性を測定する。
【００４９】
本例では、測定可能な距離Ｄａ，Ｄｂに関してＤａ，Ｄｂ＜Ｄ≦Ｄａ＋Ｄｂが成立するため、各範囲Ｒａ，Ｒｂはその遠端部が互いに重複する。補間部２１は、その重複範囲における各損失特性Ｇ１ａ，Ｇ１ｂの一致点（例えば損失の変化の特徴点）を検出することにより、各損失特性Ｇ１ａ，Ｇ１ｂのデータを合成する。
【００５０】
図５は、測定不可能な範囲が存在しない場合の測定結果の合成処理の一例を示す図である。補間部２１は、一致点Ｐｃを目印として各損失特性Ｇ１ａ，Ｇ１ｂのデータを合成する。なお、補間部２１は、合成にあたり、一方の損失特性Ｇ１ｂのデータを、横軸を挟んで対象なデータに加工する。もっとも、補間部２１は、これとは逆に、損失特性Ｇ１ａのデータを、横軸を挟んで対象なデータに加工してもよい。
【００５１】
このように、補間部２１は、各伝送装置１０，１１の測定可能な距離Ｄａ，Ｄｂの合計が全長Ｄ以上である場合、各距離Ｄａ，Ｄｂの範囲Ｒａ，Ｒｂの損失特性Ｇ１ａ，Ｇ１ｂのデータを、各々の一致点Ｐｃで重ね合わせることにより各損失特性Ｇ１ａ，Ｇ１ｂを合成する。これにより、補間部２１は、自装置の測定不可能な範囲の損失特性のデータを補間する。また、補間部２１は、各範囲Ｒａ，Ｒｂの単位距離当たりの損失を算出し、状態検出部２２は範囲Ｒａ，Ｒｂごとの単位距離当たりの損失に基づき障害を検出する。なお、各範囲Ｒａ，Ｒｂの単位距離当たりの損失は、各損失特性Ｇ１ａ，Ｇ１ｂのグラフの傾きの近似値に該当する。
【００５２】
より具体的には、状態検出部２２は、単位距離当たりの損失を所定の閾値Ｌｒと比較し、その比較結果に基づき伝送路９０，９１の障害を検出する。このため、状態検出部２２は、閾値Ｌｒにより規定される基準に基づき伝送路９０，９１の障害を検出することができる。
【００５３】
また、状態検出部２２は、例えば伝送装置１０，１１の起動後に最初に算出された単位距離当たりの損失を初期値とし、単位距離当たりの損失の初期値からの変化量を算出し、その変化量に基づき伝送路９０，９１の障害を検出する。このため、状態検出部２２は、初期値からの変化量に基づき、伝送路９０，９１の劣化度合いとして障害を検出することができる。
【００５４】
次に、各伝送装置１０，１１のＯＴＤＲモジュール３０の測定可能な距離Ｄａ，Ｄｂの合計が伝送路９０，９１の全長Ｄを超える場合について述べる。この場合、上記の手法では、その超えた分の範囲の損失特性を得ることができない。このため、補間部２１は、各伝送装置１０，１１で測定した測定結果と伝送路９０，９１の全体の距離Ｄ及び損失Ｌから測定不可能な範囲の損失特性を推測する。
【００５５】
図６は、測定不可能な範囲が存在する場合の伝送路９０，９１の損失特性の測定結果の一例を示す図である。符号Ｇ２ａは一方の伝送装置１０のＯＴＤＲモジュール３０の測定結果を示し、符号Ｇ２ｂは他方の伝送装置１１のＯＴＤＲモジュール３０の測定結果を示す。なお、本例において、伝送路９０，９１に曲げや破断点は存在しないものと仮定する。
【００５６】
本例では、測定可能な距離Ｄａ，Ｄｂに関してＤａ＋Ｄｂ＜Ｄが成立するため、伝送路９０，９１には測定不可能な範囲Ｒｘが存在する。すなわち、伝送路９０，９１には測定可能な各範囲Ｒａ，Ｒｂ外の範囲Ｒｘが存在する。補間部２１は、伝送路９０，９１の全体の距離Ｄ及び損失Ｌと、一方の伝送装置１０の測定可能な距離Ｄａ及びその範囲Ｒａの損失Ｌａと、他方の伝送装置１１の測定可能な距離Ｄｂ及びその範囲Ｒｂの損失Ｌｂとから、伝送路９０，９１の測定不可能な範囲Ｒｘの単位距離当たりの損失を算出する。
【００５７】
まず、補間部２１は、算出にあたり、伝送路９０，９１の全体の距離Ｄ及び損失Ｌを取得する。伝送路９０，９１の全体の距離Ｄ及び損失Ｌは、例えば伝送システムの管理及び運用を行う通信所業者から入手できる場合があり、この場合、伝送装置１０，１１は、メモリ２３に予め距離Ｄ及び損失Ｌを格納することができる。このとき、補間部２１は、メモリ２３から距離Ｄ及び損失Ｌを取得することができる。
【００５８】
また、補間部２１は、算出により距離Ｄ及び損失Ｌを取得することもできる。補間部２１は、例えば、自装置のＯＳＣ信号Ｓｃの送信レベルと、他方の伝送装置１０，１１におけるＯＳＣ信号Ｓｃの受信レベルの差分から伝送路９０，９１の全体の距離Ｄを算出することができる。
【００５９】
図３を参照すると、一方の伝送装置１０，１１において、ＯＳＣ送信部３３は、送信部として、監視処理部２０の指示に従い、伝送路９０，９１を介し他方の伝送装置１０，１１にＯＳＣ信号Ｓｃを送信する。なお、ＯＳＣ信号Ｓｃは光信号の一例である。他方の伝送装置１０，１１では、ＯＳＣ受信部３４がＯＳＣ信号Ｓｃを受信すると、図示しないＰＤによりその受信レベルＬＶｒを検出し、ＯＳＣ送信部３３が、反対方向の伝送路９１，９０を介し、受信レベルをＯＳＣ信号Ｓｃにより一方の伝送装置１０，１１に通知する。
【００６０】
一方の伝送装置１０，１１において、ＯＳＣ受信部３４は、受信部の一例として、他方の伝送装置１０，１１からＯＳＣ信号Ｓｃの受信レベルＬＶｒの通知を受信する。監視処理部２０は、ＯＳＣ受信部３４から受信レベルＬＶｒを取得して補間部２１に出力する。補間部２１は、ＯＳＣ送信部３３の送信レベルＬＶｓと通知された受信レベルＬＶｒの差分（ＬＶｓ−ＬＶｒ）から伝送路９０，９１の全体の損失Ｌを取得する。このため、補間部２１は、事前に損失Ｌを入手できない場合でも、算出により損失Ｌを取得することができる。
【００６１】
また、補間部２１は、各範囲Ｒａ，Ｒｂの単位距離当たりの損失Ｌａ，Ｌｂの平均値Ｌｍを算出し、その平均値Ｌｍと伝送路９０，９１の全体の損失Ｌから伝送路９０，９１の全体の距離Ｄを取得することができる。
【００６２】
Ｌｍ＝（Ｌａ／Ｄａ＋Ｌｂ／Ｄｂ）÷２    ・・・（１）
Ｄ＝Ｌ／Ｌｍ       ・・・（２）
【００６３】
より具体的には、補間部２１は、上記の式（１）により単位距離当たりの損失Ｌａ，Ｌｂの平均値Ｌｍを算出し、上記の式（２）により伝送路９０，９１の全体の距離Ｄを算出する。このため、補間部２１は、事前に距離Ｄを入手できない場合でも、算出により距離Ｄを取得することができる。なお、本例では、伝送路９０，９１の全体の距離Ｄ及び損失Ｌを、それぞれ、２５０（km）及び６２．５（dB）とする。
【００６４】
次に、補間部２１は、範囲Ｒａの単位距離当たりの損失（Ｌａ／Ｄａ）及び範囲Ｒｂの単位距離当たりの損失（Ｌｂ／Ｄｂ）を算出する。例えば、各範囲Ｒａ，Ｒｂの距離Ｄａ，Ｄｂをそれぞれ１００（km）とし、範囲Ｒａの損失Ｌａを２３．５（dB）とし、範囲Ｒｂの損失Ｌｂを２６．０（dB）とする。この場合、範囲Ｒａの単位距離当たりの損失は０．２３５（dB/km）（＝２３．５÷１００）となり、範囲Ｒｂの単位距離当たりの損失は０．２６０（dB/km）（＝２６．０÷１００）となる。
【００６５】
次に、補間部２１は、各範囲Ｒａ，Ｒｂの距離Ｄａ，Ｄｂから測定不可能な範囲Ｒｘの距離Ｄｘを算出する。上記の例に従い、各距離Ｄａ，Ｄｂを１００（km）とした場合、測定不可能な範囲Ｒｘの距離Ｄｘは５０（km）（＝２５０−１００×２）となる。
【００６６】
次に、補間部２１は、各範囲Ｒａ，Ｒｂの損失Ｌａ，Ｌｂから測定不可能な範囲Ｒｘの損失Ｌｘを算出する。上記の例に従い、範囲Ｒａの損失Ｌａを２３．５（dB）とし、範囲Ｒｂの損失Ｌｂを２６．０（dB）とすると、測定不可能な範囲Ｒｘの損失Ｌｘは１３（dB）（＝６２．５−（２３．５＋２６．０））となる。
【００６７】
次に、補間部２１は、測定不可能な範囲Ｒｘの距離Ｄｘ及び損失Ｌｘから測定不可能な範囲Ｒｘの単位距離当たりの損失（Ｒｘ／Ｄｘ）を算出する。上記の例に従い、測定不可能な範囲Ｒｘの距離Ｄｘ及び損失Ｌｘを、それぞれ、５０（km）及び１３（dB）とすると、測定不可能な範囲Ｒｘの単位距離当たりの損失は０．２６０（dB/km）（＝１３÷５０）となる。これにより、補間部２１は、測定不可能な範囲Ｒｘの損失特性を推測し、その範囲Ｒｘの損失特性のデータを補間することができる。
【００６８】
図７は、測定不可能な範囲が存在する場合の測定結果の合成処理の一例を示す図である。補間部２１は、各伝送装置１０，１１で測定された損失特性Ｇ２ａ，Ｇ２ｂ及び推測で得た測定不可能な範囲Ｒｘの損失特性Ｇｘを合成する。
【００６９】
補間部２１は、上記の方法で算出した測定不可能な範囲Ｒｘの単位距離当たりの損失（Ｒｘ／Ｄｘ）から測定不可能な範囲Ｒｘの損失特性Ｇｘのデータを線形補間する。なお、単位距離当たりの損失（Ｒｘ／Ｄｘ）は損失特性Ｇｘのグラフの傾きに該当する。
【００７０】
これにより、補間部２１は、測定不可能な範囲Ｒｘを含む伝送路９０，９１の全体にわたる損失特性のデータを得ることができる。なお、補間部２１は、合成にあたり、一方の損失特性Ｇ２ｂのデータを、横軸を挟んで対象なデータに加工する。もっとも、補間部２１は、これとは逆に、損失特性Ｇ１ａのデータを、横軸を挟んで対象なデータに加工してもよい。
【００７１】
このように、補間部２１は、伝送路９０，９１の全体の距離Ｄ及び損失Ｌと、一方の伝送装置１０の測定可能な距離Ｄａ及びその範囲Ｒａの損失Ｌａと、他方の伝送装置１１の測定可能な距離Ｄｂ及びその範囲Ｒｂの損失Ｌｂとから、伝送路９０，９１の測定不可能な範囲Ｒｘの単位距離当たりの損失を算出する。したがって、補間部２１は、各伝送装置１０，１１のＯＴＤＲモジュール３０の測定結果から測定不可能な範囲Ｒｘの損失特性Ｇｘを推測することができる。
【００７２】
また、状態検出部２２は、図４及び図５の例の場合と同様に、範囲Ｒａ，Ｒｂ，Ｒｘごとの単位距離当たりの損失に基づき伝送路９０，９１の状態を検出する。したがって、実施例の伝送装置１０，１１によると、伝送路９０，９１の測定不可能な範囲Ｒｘの状態を検出することができる。
【００７３】
図８は、上述した伝送装置１０，１１により実行される伝送路の状態検出方法の一例を示すフローチャートである。伝送装置１０，１１は、以下の状態検出方法を、運用中に定期的（例えば数時間〜１日程度ごと）に実行することにより、早期に伝送路９０，９１の障害を検出する。
【００７４】
まず、一方の伝送装置１０のＯＴＤＲモジュール３０は、伝送路９０，９１の一端Ｅａから距離Ｄａの範囲Ｒａの損失特性を測定する（ステップＳｔ１）。次に、他方の伝送装置１１のＯＴＤＲモジュール３０は、伝送路９０，９１の他端Ｅｂから距離Ｄｂの範囲Ｒｂの損失特性を測定する（ステップＳｔ２）。なお、ステップＳｔ１の処理及びステップＳｔ２の処理の順序は逆であってもよい。
【００７５】
次に、各伝送装置１０，１１は損失特性の測定結果を互いに送受信する（ステップＳｔ３）。なお、測定結果は、上述したように、ＯＳＣ送信部３３及びＯＳＣ受信部３４を介しＯＳＣ信号Ｓｃにより送受信される。これにより、各伝送装置１０，１１の監視部２は、伝送路９０，９１の測定可能な範囲Ｒａ，Ｒｂの損失特性のデータを取得する。なお、以降の処理は、各伝送装置１０，１１の両方または何れか一方だけで実行される。
【００７６】
次に、補間部２１は、各範囲Ｒａ，Ｒｂの単位距離当たりの損失（Ｌａ／Ｄａ、Ｌｂ／Ｄｂ）を算出する（ステップＳｔ４）。なお、各範囲Ｒａ，Ｒｂの損失Ｌａ，Ｌｂは損失特性Ｇ１ａ，Ｇ１ｂ，Ｇ２ａ，Ｇ２ｂから取得され、各範囲Ｒａ，Ｒｂの距離Ｄａ，Ｄｂは、例えば予めメモリ２３に格納されている。
【００７７】
次に、補間部２１は、伝送路９０，９１の全体の損失Ｌの値がメモリ２３に格納済みであるか否かを判定する（ステップＳｔ５）。補間部２１は、損失Ｌの値が格納済みである場合（ステップＳｔ５のＹｅｓ）、損失Ｌを算出する必要がないため、下記のステップＳｔ６の処理を実行する。
【００７８】
また、補間部２１は、損失Ｌの値が格納済みではない場合（ステップＳｔ５のＮｏ）、以下のステップＳｔ５０〜Ｓｔ５２の各処理を実行することにより損失Ｌを算出する。ＯＳＣ送信部３３は、補間部２１の要求に応じて損失測定用のＯＳＣ信号Ｓｃを他方の伝送装置１０，１１に送信する（ステップＳｔ５０）。
【００７９】
次に、ＯＳＣ受信部３４は、他方の伝送装置１０，１１から損失測定用のＯＳＣ信号Ｓｃの受信レベル（受信時の光パワーの値）の通知を受信する（ステップＳｔ５１）。次に、補間部２１は、損失測定用のＯＳＣ信号Ｓｃの送信レベル（送信時の光パワーの値）と受信レベルの差分から伝送路９０，９１の全体の損失Ｌを算出する（ステップＳｔ５２）。これにより、補間部２１は、損失Ｌが既知ではない場合でも損失Ｌを算出により取得することができる。
【００８０】
次に、補間部２１は、伝送路９０，９１の全体の距離Ｄの値がメモリ２３に格納済みであるか否かを判定する（ステップＳｔ６）。補間部２１は、距離Ｄの値が格納済みである場合（ステップＳｔ６のＹｅｓ）、距離Ｄを算出する必要がないため、以下に述べるステップＳｔ７の処理を実行する。
【００８１】
また、補間部２１は、距離Ｄの値が格納済みではない場合（ステップＳｔ６のＮｏ）、以下のステップＳｔ６０，Ｓｔ６１の各処理を実行することにより距離Ｄを算出する。補間部２１は、各範囲Ｒａ，Ｒｂの距離Ｄａ，Ｄｂ及び損失Ｌａ，Ｌｂから、上記の式（１）により各範囲Ｒａ，Ｒｂの単位距離当たりの損失の平均値Ｌｍを算出する（ステップＳｔ６０）。
【００８２】
次に、補間部２１は、平均値Ｌｍと伝送路９０，９１の全体の損失Ｌから、上記の式（２）により伝送路９０，９１の全体の距離Ｄを算出する（ステップＳｔ６１）。これにより、補間部２１は、距離Ｄが既知ではない場合でも距離Ｄを算出により取得することができる。
【００８３】
次に、補間部２１は、各範囲Ｒａ，Ｒｂの距離Ｄａ，Ｄｂの合計を伝送路９０，９１の全体の距離Ｄと比較する（ステップＳｔ７）。補間部２１は、Ｄ≦Ｄａ＋Ｄｂの場合（ステップＳｔ７のＹｅｓ）、各伝送装置１０，１１のＯＴＤＲモジュール３０により測定不可能な範囲Ｒｘが伝送路９０，９１に存在しないため、図５に示された合成処理を実行する。
【００８４】
補間部２１は、各範囲Ｒａ，Ｒｂの損失特性Ｇ１ａ，Ｇ１ｂの一致点Ｐｃを検出する（ステップＳｔ７０）。次に、補間部２１は、一致点Ｐｃを目印として、各範囲Ｒａ，Ｒｂの損失特性Ｇ１ａ，Ｇ１ｂを合成する（ステップＳｔ７１）。その後、下記のステップＳｔ８の処理が実行される。
【００８５】
また、補間部２１は、Ｄ＞Ｄａ＋Ｄｂの場合（ステップＳｔ７のＮｏ）、各伝送装置１０，１１のＯＴＤＲモジュール３０により測定不可能な範囲Ｒｘが伝送路９０，９１に存在するため、図７に示された合成処理を実行する。
【００８６】
補間部２１は、伝送路９０，９１の全体の距離Ｄ及び損失Ｌと範囲Ｒａ，Ｒｂの距離Ｄａ，Ｄｂ及び損失Ｌａ，Ｌｂとから測定不可能な範囲Ｒｘの距離Ｄｘ及び損失Ｌｘを算出する（ステップＳｔ７２）。距離Ｄｘは、伝送路９０，９１の全体の距離Ｄから各範囲Ｒａ，Ｒｂの距離Ｄａ，Ｄｂの合計を減算することにより算出される（つまりＤｘ＝Ｄ−（Ｄａ＋Ｄｂ））。また、損失Ｌｘは、伝送路９０，９１の全体の損失Ｌから各範囲Ｒａ，Ｒｂの損失Ｌａ，Ｌｂの合計を減算することにより算出される（つまりＬｘ＝Ｌ−（Ｌａ＋Ｌｂ））。
【００８７】
次に、補間部２１は、測定不可能な範囲Ｒｘの単位距離当たりの損失（Ｌｘ／Ｄｘ）を算出する（ステップＳｔ７３）。これにより、測定不可能な範囲Ｒｘの損失特性のデータが推測される。次に、補間部２１は、各範囲Ｒａ，Ｒｂ，Ｒｘの損失特性Ｇ２ａ，Ｇ２ｂ，Ｇｘを合成する（ステップＳｔ７４）。
【００８８】
このように、補間部２１は、伝送路９０，９１に測定不可能な範囲Ｒｘが存在する場合、各伝送装置１０，１１のＯＴＤＲモジュール３０の測定結果から、範囲Ｒｘの損失特性Ｇｘのデータを得ることができる。なお、補間部２１は、合成後の損失特性のデータ、及び各範囲Ｒａ，Ｒｂ，Ｒｘの単位距離当たりの損失をメモリ２３に格納する。
【００８９】
また、以降の処理は、伝送路９０，９１の範囲Ｒａ，Ｒｂ，Ｒｘについて実行される。もっとも、上記のステップＳｔ７においてＤ＞Ｄａ＋Ｄｂと判定された場合（ステップＳｔ７のＮｏ）、範囲Ｒｘは存在しないため、範囲Ｒｘについての処理は実行されない。
【００９０】
補間部２１は、範囲Ｒａ，Ｒｂ，Ｒｘの単位距離当たりの損失の初期値がメモリ２３に設定済みであるか否かを判定する（ステップＳｔ８）。なお、初期値は、状態検出部２２において障害の検出に用いられる。
【００９１】
補間部２１は、初期値が設定済みである場合（ステップＳｔ８のＹｅｓ）、下記のステップＳｔ９の処理を実行する。また、補間部２１は、初期値が設定済みではない場合（ステップＳｔ８のＮｏ）、範囲Ｒａ，Ｒｂ，Ｒｘの単位距離当たりの損失を初期値としてメモリ２３に設定する（ステップＳｔ８０）。
【００９２】
このため、例えば、各伝送装置１０，１１の起動後、最初に実行される伝送路９０，９１の状態監視処理で得られる単位距離当たりの損失が、初期値として設定される。なお、初期値は、伝送装置１０，１１の起動前にメモリ２３に予め設定されてもよい。
【００９３】
次に、状態検出部２２は、各範囲Ｒａ，Ｒｂ，Ｒｘの単位距離当たりの損失を所定の閾値Ｌｒと比較し、その損失が閾値Ｌｒより大きい範囲Ｒａ，Ｒｂ，Ｒｘの有無を判定する（ステップＳｔ９）。状態検出部２２は、単位距離当たりの損失が閾値Ｌｒより大きい範囲Ｒａ，Ｒｂ，Ｒｘが無い場合（ステップＳｔ９のＮｏ）、下記のステップＳｔ１０の処理を実行する。なお、状態検出部２２は、メモリ２３から各範囲Ｒａ，Ｒｂ，Ｒｘの単位距離当たりの損失を取得する。
【００９４】
また、状態検出部２２は、単位距離当たりの損失が閾値Ｌｒより大きい範囲Ｒａ，Ｒｂ，Ｒｘが有る場合（ステップＳｔ９のＹｅｓ）、その範囲Ｒａ，Ｒｂ，Ｒｘの障害を検出する（ステップＳｔ９０）。なお、伝送路９０，９１がシングルモードの光ファイバである場合、単位距離当たりの損失は、その損失係数から０．２０（dB/km）程度であるが、光ファイバには複数箇所のスプライスが存在するため、現実的には、例えば０．２５〜０．３０（dB/km）程度となる。このため、閾値Ｌｒは、例えば０．３０（dB/km）とする。
【００９５】
このように、状態検出部２２は、単位距離当たりの損失を所定の閾値Ｌｒと比較し、その比較結果に基づき伝送路９０，９１の障害を検出する。このため、状態検出部２２は、閾値Ｌｒにより規定される基準に基づき伝送路９０，９１の障害を検出することができる。
【００９６】
次に、状態検出部２２は、各範囲Ｒａ，Ｒｂ，Ｒｘの単位距離当たりの損失の初期値からの変化量を算出して、その変化量が所定値ｋより大きい範囲Ｒａ，Ｒｂ，Ｒｘの有無を判定する（ステップＳｔ１０）。状態検出部２２は、変化量が所定値ｋより大きい範囲Ｒａ，Ｒｂ，Ｒｘが無い場合（ステップＳｔ１０のＮｏ）、処理を終了する。
【００９７】
また、状態検出部２２は、変化量が所定値ｋより大きい範囲Ｒａ，Ｒｂ，Ｒｘが有る場合（ステップＳｔ１０のＹｅｓ）、その範囲Ｒａ，Ｒｂ，Ｒｘの障害を検出する（ステップＳｔ１００）。
【００９８】
このように、状態検出部２２は、単位距離当たりの損失の初期値からの変化量を算出し、その変化量に基づき伝送路９０，９１の障害を検出する。このため、状態検出部２２は、初期値からの変化量に基づき、伝送路９０，９１の劣化度合いとして障害を検出することができる。
【００９９】
上述したように、状態検出部２２は、範囲Ｒａ，Ｒｂ，Ｒｘごとの単位距離当たりの損失に基づき伝送路９０，９１の状態を検出する。したがって、実施例の状態検出方法によると、伝送路９０，９１の測定不可能な範囲Ｒｘの状態を検出することができる。
【０１００】
上述した実施形態は本発明の好適な実施の例である。但し、これに限定されるものではなく、本発明の要旨を逸脱しない範囲内において種々変形実施可能である。
【０１０１】
なお、以上の説明に関して更に以下の付記を開示する。
（付記１）  伝送路の一端に接続された伝送装置において、
前記伝送路の一端から第１距離の範囲の第１損失を測定する測定部と、
前記伝送路の他端から第２距離の範囲の第２損失を、前記伝送路の他端に接続された他の伝送装置から取得する取得部と、
前記伝送路の全体の距離及び損失と、前記第１距離及び前記第１損失と、前記第２距離及び前記第２損失とから、前記伝送路の前記第１距離及び前記第２距離の範囲外の単位距離当たりの損失を算出する算出部と、
前記単位距離当たりの損失に基づき前記伝送路の状態を検出する検出部とを有することを特徴とする伝送装置。
（付記２）  前記伝送路を介し前記他の伝送装置に光信号を送信する送信部と、
前記他の伝送装置から前記光信号の受信レベルの通知を受信する受信部と、
前記算出部は、前記光信号の送信レベルと前記受信レベルの差分から前記伝送路の全体の損失を取得することを特徴とする付記１に記載の伝送装置。
（付記３）  前記算出部は、前記第１距離及び前記第１損失と、前記第２距離及び前記第２損失とから、前記伝送路の前記第１距離及び前記第２距離の各範囲の単位距離当たりの損失の平均値を算出し、前記平均値と前記伝送路の全体の損失から前記伝送路の全体の距離を取得することを特徴とする付記１または２に記載の伝送装置。
（付記４）  前記検出部は、前記単位距離当たりの損失を所定の閾値と比較し、該比較結果に基づき前記伝送路の障害を検出することを特徴とする付記１乃至３の何れかに記載の伝送装置。
（付記５）  前記検出部は、前記単位距離当たりの損失の初期値からの変化量を算出し、前記変化量に基づき前記伝送路の障害を検出することを特徴とする付記１乃至４の何れかに記載の伝送装置。
（付記６）  一組の伝送装置の間を結ぶ伝送路の一端から第１距離の範囲の第１損失を測定し、
前記伝送路の他端から第２距離の範囲の第２損失を測定し、
前記伝送路の全体の距離及び損失と、前記第１距離及び前記第１損失と、前記第２距離及び前記第２損失とから、前記伝送路の前記第１距離及び前記第２距離の範囲外の単位距離当たりの損失を算出し、
前記単位距離当たりの損失に基づき前記伝送路の状態を検出することを特徴とする状態検出方法。
（付記７）  前記伝送路を介し前記一組の伝送装置の一方から他方に光信号を送信し、
前記一組の伝送装置の他方から一方に前記光信号の受信レベルの通知を受信し、
前記光信号の送信レベルと前記受信レベルの差分から前記伝送路の全体の損失を取得することを特徴とする付記６に記載の状態検出方法。
（付記８）  前記第１距離及び前記第１損失と、前記第２距離及び前記第２損失とから、前記伝送路の前記第１距離及び前記第２距離の各範囲の単位距離当たりの損失の平均値を算出し、
前記平均値と前記伝送路の全体の損失から前記伝送路の全体の距離を取得することを特徴とする付記６または７に記載の状態検出方法。
（付記９）  前記単位距離当たりの損失を所定の閾値と比較し、
該比較結果に基づき前記伝送路の障害を検出することを特徴とする付記６乃至８の何れかに記載の状態検出方法。
（付記１０）  前記単位距離当たりの損失の初期値からの変化量を算出し、
前記変化量に基づき前記伝送路の障害を検出することを特徴とする付記６乃至９の何れかに記載の状態検出方法。
【符号の説明】
【０１０２】
２       監視部
１０，１１      伝送装置
２０       監視処理部
２１       補間部
２２       状態検出部
３０       ＯＴＤＲモジュール
３３       ＯＳＣ送信部
３４       ＯＳＣ受信部
９０，９１      伝送路
【図１】
2018011279.tif 000003
【図２】
2018011279.tif 000004
【図３】
2018011279.tif 000005
【図４】
2018011279.tif 000006
【図５】
2018011279.tif 000007
【図６】
2018011279.tif 000008
【図７】
2018011279.tif 000009
【図８】
2018011279.tif 000010